(57)【要約】【課題】クラブヘッドとクラブシャフトを接続するための中間部材を少なくし、構造を単純化して交換作業を容易にしたゴルフクラブを提供する。【解決手段】クラブヘッド１のホーゼル３の上端に切欠部５を形成し、クラブシャフト２を円筒状接続部材４に挿入して接着により固定すると共に、ホーゼル３の切欠き部５に周方向で係合する切欠き部８を有する円筒状接続部材４をホーゼル３に挿入して、ソール部１１から固定ボルト１２により固定する。【選択図】図１
2009039170.tif 000002
【特許請求の範囲】
【請求項１】
クラブヘッドに一体のホーゼルに円筒状接続部材を差し込み、該円筒状接続部材にクラブシャフトの先端を差し込んで前記クラブヘッドと前記クラブシャフトとを交換可能に接続するゴルフクラブであって、
前記円筒状接続部材を前記ホーゼルの上端に突出させて大径部を形成すると共に、該太径部と前記ホーゼル上端とを互いに段差状又はテーパ状の切欠き部で係合させ、前記クラブシャフト先端を前記円筒状接続部材に対する差し込み部に接着により固定し、かつ該円筒状接続部材を前記クラブヘッドに対して固定したゴルフクラブ。
【請求項２】
前記円筒状接続部材の前記クラブヘッドに対する固定を、前記クラブヘッドのソール側から挿入したネジ部材を前記円筒状接続部材の底部に螺合させて行った請求項１に記載のゴルフクラブ。
【請求項３】
前記円筒状接続部材の前記クラブヘッドに対する固定を、外周壁に雄ネジを形成した前記円筒状接続部材を内周壁に雌ネジを形成した前記ホーゼルに挿入螺合させて行った請求項１に記載のゴルフクラブ。
【発明の詳細な説明】
【技術分野】
【０００１】
本発明はゴルフクラブに関し、更に詳しくは複数種のクラブヘッドと複数種のクラブシャフトとを選択的に交換可能にしたゴルフクラブに関する。
【背景技術】
【０００２】
ゴルファーが、自身の技量や体格などに応じてゴルフクラブをカスタマイズすることは広く行われている。その際のクラブ選択の指標として、クラブヘッドとクラブシャフトとの組み合わせがある。例えばクラブヘッドではライ角、フェイス角、スイートスポットの大きさ、重心位置、素材などがパラメータとなり、またクラブシャフトでは、長さや硬さ、メタルやグラファイトなどの素材などが、パラメータとして重視される。ゴルフクラブの販売現場等において、このようなゴルファーの要望に対応するために、全ての組み合わせのゴルフクラブを用意することは非現実的であるため、最近では複数種のクラブヘッドと複数種のクラブシャフトとを用意し、これらの中から交換可能に組み合わせを行って試し打ちができるようにするところが現れてきている。
【０００３】
この試打用のゴルフクラブは、クラブヘッドとクラブシャフトとが簡単に交換可能になっていると共に、一旦交換された後は、スイング中に遠心力で両者が外れたり、ゴルフボールの打撃時にクラブヘッドが回転したりしないことが要求される。
【０００４】
このようなゴルフクラブの１つとして、特許文献１は、円筒状の接続部材を介してクラブヘッドとクラブシャフトを交換可能に接続したものを提案している。
【０００５】
しかし、この接続構造は、接続のための中間部材が、クラブシャフト側のスリーブとクラブヘッド側のチューブの２つからなり、かつクラブヘッドのソールから差し込まれる締着ボルトを加えた計３つの部材からなる上に、各部材がそれぞれ複雑な構造を有するため、製作コストが高く重量が増加する上に、クラブヘッドとクラブシャフトの交換作業に手間が掛かるという問題があった。
【特許文献１】国際公開第２００６／０５５３７６号パンフレット
【発明の開示】
【発明が解決しようとする課題】
【０００６】
本発明の目的は、クラブヘッドとクラブシャフトを接続するための中間部材を少なくし、構造を単純化して交換作業を容易にしたゴルフクラブを提供することにある。
【課題を解決するための手段】
【０００７】
上記の目的を達成するため、本発明のゴルフクラブは、クラブヘッドに一体のホーゼルに円筒状接続部材を差し込み、該円筒状接続部材にクラブシャフトの先端を差し込んで前記クラブヘッドと前記クラブシャフトとを交換可能に接続するゴルフクラブであって、前記円筒状接続部材を前記ホーゼルの上端に突出させて大径部を形成すると共に、該太径部と前記ホーゼル上端とを互いに段差状又はテーパ状の切欠き部で係合させ、前記クラブシャフト先端を前記円筒状接続部材に対する差し込み部に接着により固定し、かつ該円筒状接続部材を前記クラブヘッドに対して固定したことを特徴とするものである。
【０００８】
前記円筒状接続部材の前記クラブヘッドに対する固定は、前記クラブヘッドのソール側から挿入したネジ部材を前記円筒状接続部材の底部に螺合させて行うか、又は外周壁に雄ネジを形成した前記円筒状接続部材を内周壁に雌ネジを形成した前記ホーゼルに挿入螺合させて行うことが望ましい。
【発明の効果】
【０００９】
本発明のゴルフクラブによれば、クラブヘッドとクラブシャフトの接続に使用する中間部材を実質的に単一の円筒状接続部材だけにし、かつ円筒状接続部材とホーゼルとは段差状の切欠き部だけで互いに係合させ、またクラブシャフトは円筒状接続部材に対して差し込み部で接着で固定するだけの単純構造にしたので、クラブヘッドとクラブシャフトとの交換作業が容易になり、かつ低コストでの製造とゴルフクラブの軽量化を可能にする。
【発明を実施するための最良の形態】
【００１０】
以下に、本発明の実施の形態について、図面を参照して説明する。
【００１１】
図１は、本発明の実施形態からなるゴルフクラブにおけるクラブヘッドとクラブシャフトの接続部分を示す。
【００１２】
このゴルフクラブは、クラブヘッド１とクラブシャフト２を、クラブヘッド１に一体形成されたホーゼル３に円筒状接続部材４を差し込み、その円筒状接続部材４にクラブシャフト２の先端部を差し込んで接続したものである。
【００１３】
円筒状接続部材４は、図２に示すように、有底中空の円筒部６を本体とし、その開口部側に太径部７を形成している。この太径部７は、円筒状接続部材４がホーゼル３の中に差し込まれたとき、ホーゼル３の上端から突出するように係止され、かつ段差状に形成した切欠き部８がホーゼル３の上端に形成した段差状の切欠き部５に対して周方向に回り止めされるように係合されている。なお、切欠き部５、８は、斜面に沿って連続的に切欠高さ（軸方向の長さ）が変わるようなテーパ状に形成してもよい。円筒状接続部材４の内側には、クラブシャフト２の先端部が差し込まれて接着により固定される差し込み部９が形成されている。
【００１４】
更に、円筒状接続部材４のクラブヘッド１に対する固定は、円筒状接続部材４の底面にネジ孔１０を形成し、このネジ孔１０にクラブヘッド１のソール部１１側から挿入した固定ボルト１２（例えば、Ｍ６ボルト）を螺合させることにより行っている。この円筒状接続部材４の固定方法としては、円筒状接続部材４の外周壁に雄ネジを設けると共に、ホーゼル３の内周壁に雌ネジを形成し、このホーゼル３に対して円筒状接続部材４を挿入して、ねじ込むことにより固定してもよい。この場合の雄ネジと雌ネジとは、クラブヘッド１の打球時に発生するトルクの方向に対して円筒状接続部材４を締め付ける方向に螺進するようにネジ方向の螺旋が形成されることが望ましい。
【００１５】
上述したように、本発明のゴルフクラブは、円筒状接続部材４とホーゼル３との間で切欠き部５、８を互いに周方向で係合することにより、打球時におけるクラブヘッド１のクラブシャフト２まわりの回転を防止する。切欠き部５、８の切欠高さはクラブヘッド１の質量及び大きさに応じて変わるが、クラブヘッド１の回転を確実に防止するために、好ましくは２〜１５ｍｍ、より好ましくは３〜７ｍｍとするのがよい。また、切欠き部５、８の数は、周方向に等間隔に２〜４個とするのがよい。
【００１６】
クラブヘッド１とクラブシャフト２との組み合わせ交換は、図３に示すように、クラブシャフト２の先端部を円筒状接続部材４の差し込み部９へ挿入して接着により固定し、円筒状接続部材４の円筒部６をホーゼル３に嵌入させて互いの切欠き部５、８を係合させた後、ソール部１１から固定ボルト１２を挿入して円筒状接続部材４を固定することにより行うことができる。クラブヘッド１からクラブシャフト２を外すときは、この逆の操作を行えばよい。
【００１７】
このように、クラブヘッド１とクラブシャフト２との接続のための中間部材は円筒状接続部材４が１個だけであり、増える場合であってもクラブヘッド１のソール部１１側から固定ボルト１２を差し込むだけで済み、また接続構造としてはホーゼル３と円筒状接続部材４との間の切欠き部５、８と、クラブシャフト２の先端部と円筒状接続部材４の差し込み部９での固定だけで構造が簡単であるため、ゴルフクラブを低コストで製作することができ、かつゴルフクラブの軽量化を図ることができる。また、交換作業を容易に行うことができる。特に、クラブヘッド１については、ホーゼル３に切欠き部５を形成するだけでよいため、既存のゴルフクラブから試打用のゴルフクラブへの改造を容易に行うことができる。
【図面の簡単な説明】
【００１８】
【図１】本発明の実施形態からなるゴルフクラブにおけるクラブヘッドとクラブシャフトの接続部の一部断面図である。
【図２】図１のゴルフクラブに使用される円筒状接続部材の斜視図である。
【図３】本発明の実施形態からなるゴルフクラブの組立図である。
【符号の説明】
【００１９】
１  クラブヘッド
２  クラブシャフト
３  ホーゼル
４  円筒状接続部材
５  （ホーゼルの）切欠き部
６  円筒部
７  太径部
８  （円筒状接続部材の）切欠き部
９  差し込み部
１０  ネジ孔
１１  ソール部
１２  固定ボルト
【図１】
2009039170.tif 000003
【図２】
2009039170.tif 000004
【図３】
2009039170.tif 000005